(57)【要約】【課題】  従来のスチールワイヤロープ用挟持具の欠点を改善し、スチールワイヤロープを確実に固定することができるスチールワイヤロープ用挟持具を提供する。【解決手段】  長手方向の中心に貫通孔１１が穿設される略円柱形の本体１０を有し、該本体の両側夫々に、一側のねじ穴と他側のねじ穴とは高さが異なるように交互に位置すると共に該貫通孔１１と連通する少なくとも１つのねじ穴１２が形成され、該各ねじ穴１２に押圧ボルト２０が螺入されることを特徴とする。【選択図】  図２
0003138891.tif 000002
【実用新案登録請求の範囲】
【請求項１】
長手方向の中心に貫通孔が穿設される略円柱形の本体を有し、該本体の両側夫々に、一側のねじ穴と他側のねじ穴とは高さが異なるように交互に位置すると共に該貫通孔と連通する少なくとも１つのねじ穴が形成され、
該各ねじ穴に押圧ボルトが螺入されることを特徴とするスチールワイヤロープ用挟持具。
【請求項２】
前記本体の貫通孔の内周壁の前記ねじ穴と連通する両側面は粗面であることを特徴とする請求項１に記載のスチールワイヤロープ用挟持具。
【請求項３】
前記粗面における、前記押圧ボルトと対向する箇所に、所定の間隔で複数の並列溝が形成されることを特徴とする請求項２に記載のスチールワイヤロープ用挟持具。
【請求項４】
前記各ねじ穴の内径は、前記貫通孔の幅より大きいことを特徴とする請求項３に記載のスチールワイヤロープ用挟持具。
【請求項５】
前記押圧ボルトの先端に、スチールワイヤロープを押圧するための平面状の押圧面が設けられることを特徴とする請求項４に記載のスチールワイヤロープ用挟持具。
【請求項６】
前記本体の一側に２つのねじ穴が形成されると共に、他側における、該２つのねじ穴の間に１つのねじ穴が設けられることを特徴とする請求項１乃至請求項５の何れか１項に記載のスチールワイヤロープ用挟持具。
【請求項７】
前記各ねじ穴の内径は、隣接する二つのねじ穴の間の距離よりも大きいことを特徴とする請求項６に記載のスチールワイヤロープ用挟持具。
【請求項８】
前記各ねじ穴の内径は、前記貫通孔の幅より大きいことを特徴とする請求項１又は請求項２に記載のスチールワイヤロープ用挟持具。
【請求項９】
前記押圧ボルトの先端に、スチールワイヤロープを押圧するための平面状の押圧面が設けられることを特徴とする請求項１乃至請求項３の何れか１項に記載のスチールワイヤロープ用挟持具。
【考案の詳細な説明】
【技術分野】
【０００１】
本考案は、特に末端を挟持して、スチールワイヤロープを確実に固定するためのスチールワイヤロープ用挟持具に関するものである。
【背景技術】
【０００２】
図５及び図６に示すように、従来のスチールワイヤロープ用挟持具（９０）は、鋳物である鞍形ブロック（９１）と、両端に夫々ねじ山（符号なし）が設けられるＵ字形部材（９２）と、２つのナット（９３）とからなり、該鞍形ブロック（９１）の両側に夫々一対の突出部（９１２）が設けられる。
更に、前記鞍形ブロック（９１）の中段部の両側にそれぞれ、Ｕ字形部材（９２）を設置するための２つの孔（９１１）が形成され、該２つの孔（９１１）はそれぞれ両側に設けられる一対の突出部（９１２）の間に位置する。
【０００３】
図５に示すように、前記構成によれば、両側の突出部（９１２）とＵ字形部材（９２）との間に、挟持部（９４）が形成されるので、使用時には、スチールワイヤロープ（５０）を、該挟持部（９４）内にセットし、Ｕ字形部材（９２）の両端から夫々ナット（９３）で締付けることにより、該Ｕ字形部材（９２）を孔（９１１）に固定しながら、スチールワイヤロープ（５０）を強固に緊止することができる。
【考案の開示】
【考案が解決しようとする課題】
【０００４】
しかしながら、従来のスチールワイヤロープ用挟持具（９０）は、鋳造方法により製造された鞍形ブロック（９１）の強度が非常に弱いので、長期間使用すると、該鞍形ブロック（９１）が疲労などにより、すぐに破損してしまうことがよくあった。また、このような従来のスチールワイヤロープ用挟持具（９０）は、前記Ｕ字形部材（９２）でしかスチールワイヤロープ（５０）を緊止することができないので、固定効果に優れなかった。例えば、図６に示すように、スチールワイヤロープ（５０）はＵ字形部材（９２）により緊止され、この時、スチールワイヤロープ（５０）の緊止部分はやや変形するが、更に過大な力が加わると、スチールワイヤロープ（５０）が切れたり、また、前記ナット（９３）の緩みなどが発生すると、スチールワイヤロープ（５０）が離脱する恐れがある。このことから、従来のスチールワイヤロープ用挟持具（９０）については以前より、その使用効果や使用上の安全性が問われていた。
【０００５】
そこで、案出されたのが本考案であって、本体に、スチールワイヤロープの太さと対応する大きさを持つ貫通孔を穿設すると共に、本体の両側に交互に押圧ボルトを螺設して、該押圧ボルトでスチールワイヤロープをきつく押圧することにより、従来のスチールワイヤロープ用挟持具のような、固定効果に優れなく、スチールワイヤロープが離脱し易いといった欠点を改善すると共に、スチールワイヤロープの末端を確実に且つ強固に固定するスチールワイヤロープ用挟持具を提供することを目的としている。
【課題を解決するための手段】
【０００６】
本願の請求項１の考案は、長手方向の中心に貫通孔が穿設される略円柱形の本体を有し、該本体の両側夫々に、一側のねじ穴と他側のねじ穴とは高さが異なるように交互に位置すると共に該貫通孔と連通する少なくとも１つのねじ穴が形成され、該各ねじ穴に押圧ボルトが螺入されることを特徴とするスチールワイヤロープ用挟持具、を提供する。
【０００７】
本願の請求項２の考案は、前記本体の貫通孔の内周壁の前記ねじ穴と連通する両側面は粗面であることを特徴とする請求項１に記載のスチールワイヤロープ用挟持具、を提供する。
【０００８】
本願の請求項３の考案は、前記粗面における、前記押圧ボルトと対向する箇所に、所定の間隔で複数の並列溝が形成されることを特徴とする請求項２に記載のスチールワイヤロープ用挟持具、を提供する。
【０００９】
本願の請求項４の考案は、前記各ねじ穴の内径は、前記貫通孔の幅より大きいことを特徴とする請求項３に記載のスチールワイヤロープ用挟持具、を提供する。
【００１０】
本願の請求項５の考案は、前記押圧ボルトの先端に、スチールワイヤロープを押圧するための平面状の押圧面が設けられることを特徴とする請求項４に記載のスチールワイヤロープ用挟持具、を提供する。
【００１１】
本願の請求項６の考案は、前記本体の一側に２つのねじ穴が形成されると共に、他側における、該２つのねじ穴の間に１つのねじ穴が設けられることを特徴とする請求項１乃至請求項５の何れか１項に記載のスチールワイヤロープ用挟持具、を提供する。
【００１２】
本願の請求項７の考案は、前記各ねじ穴の内径は、隣接する二つのねじ穴の間の距離よりも大きいことを特徴とする請求項６に記載のスチールワイヤロープ用挟持具、を提供する。
【００１３】
本願の請求項８の考案は、前記各ねじ穴の内径は、前記貫通孔の幅より大きいことを特徴とする請求項１又は請求項２に記載のスチールワイヤロープ用挟持具、を提供する。
【００１４】
本願の請求項９の考案は、前記押圧ボルトの先端に、スチールワイヤロープを押圧するための平面状の押圧面が設けられることを特徴とする請求項１乃至請求項３の何れか１項に記載のスチールワイヤロープ用挟持具、を提供する。
【考案の効果】
【００１５】
本考案は上記の課題を解決するものであり、少なくとも以下に示すような効果を奏する。
【００１６】
1. 本考案に係るスチールワイヤロープ用挟持具の本体は、スチール材を旋盤或いは鍛造などの方法などにより加工してなるものであり、その本体にスチールワイヤロープと対応する貫通孔が形成されるので、従来のスチールワイヤロープ用挟持具における、構造強度に優れなく、長時間の使用による疲労によって起こる破損などの欠点を改善することができると共に、構造強度と使用安全性を大幅に向上させることができる。
2. 前記スチールワイヤロープは、本体の両側に配置された押圧ボルトに押圧されることにより、その一部が略Ｓ字状に変形するので、固定効果を大幅に向上させることができる。
3. 本体の貫通孔の径は、スチールワイヤロープの太さと対応するので、該スチールワイヤロープと貫通孔の内周壁との間に、間隙が殆ど形成されないので、押圧ボルトによりスチールワイヤロープを押圧する時、より確実に固定することができる。
4. 本体の貫通孔の内周壁に粗面及び並列溝が設けられることにより、スチールワイヤロープと貫通孔の内周壁との間に摩擦が生じるので、スチールワイヤロープの固定効果及び安全性をさらに向上させることができる。
5. ねじの先端に、スチールワイヤロープを押圧するための平面状の押圧面が設けられるので、スチールワイヤロープを傷つけずに押圧効果をより向上させることができる。
【考案を実施するための最良の形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は本考案に係るスチールワイヤロープ用挟持具の使用状態を示す斜視図であり、図２は本考案に係るスチールワイヤロープ用挟持具の部分断面斜視図であり、図３は本考案に係るスチールワイヤロープ用挟持具の使用状態を示す側面断面図であり、図４は本考案に係るスチールワイヤロープ用挟持具の使用状態を示す平面断面図である。
【００１９】
図１及び図２に示すように、本考案に係るスチールワイヤロープ用挟持具は、スチール材を旋盤或いは鍛造などの方法などにより加工してなる本体（１０）と、２つ以上の押圧ボルト（２０）とからなり、該本体（１０）は、スチール材を旋盤、或いは鍛造などの方法で略円柱形を呈するように加工することにより製造され、該本体（１０）の長手方向の中心にスチールワイヤロープ（５０）の太さと対応する大きさを有する貫通孔（１１）が穿設され、図中にも示すように、該貫通孔（１１）の径は、該スチールワイヤロープ（５０）を２本収容できる程度の大きさを有する。
【００２０】
前記本体（１０）の両側には夫々少なくとも１つの、前記長穴状の貫通孔（１１）の両側と連通するねじ穴（１２）が形成され、該各ねじ穴（１２）の内径は、貫通孔（１１）の幅よりやや大きく、前記各ねじ穴（１２）の径は、各ねじ穴（１２）と隣のねじ穴（１２）との間隔よりも大きいことが好ましい。
【００２１】
更に、前記本体（１０）の一側に２つのねじ穴（１２）が形成されると共に、他側における、該２つのねじ穴（１２）の間に1つのねじ穴（１２）が設けられ、前記スチールワイヤロープ（５０）に対する固定効果をさらに向上させるために、該本体（１０）の貫通孔（１１）の内周壁の前記ねじ穴と連通する両側面は粗面（１３）であると共に、前記粗面における、前記押圧ボルト（２０）と対向する箇所に、所定の間隔で複数の並列溝（１４）が形成される。
【００２２】
前記各押圧ボルト（２０）は、ねじ穴（１２）に螺設され、該各押圧ボルト（２０）の先端に、スチールワイヤロープ（５０）を押圧するための平面状の押圧面（２１）が設けられると共に、末端にドライバーなどの工具により押圧ボルト（２０）の緊緩を行うための調整端（２２）が形成される。
尚、前記押圧面（２１）は、スチールワイヤロープを傷つけないようにするために、平面状に形成されることが好ましく、また、前記調整端（２２）には、例えばマイナスや、プラス、または本実施例に示すように六角穴などが設けられることが好ましい。
【００２３】
図２乃至図４に示すように、本考案のスチールワイヤロープ用挟持具を使用する時は、スチールワイヤロープ（５０）の一方を本体（１０）の貫通孔（１１）内に通すと共に、他方を折り返し、その末端が貫通孔（１１）の底端にくるように位置させ、即ち、２本のスチールワイヤロープ（５０）が貫通孔（１１）内を貫通している状態とする。
【００２４】
続いて、前記押圧ボルト（２０）を強く締込み、該各押圧ボルト（２０）の押圧面（２１）による押圧により、該スチールワイヤロープ（５０）を、その側面が粗面（１３）と並列溝（１４）にあたる程度まで湾曲させる。これにより、スチールワイヤロープ（５０）を本体（１０）内に強固に固定することができる。
尚、図３に示すように、前記湾曲箇所は、略Ｓ字状を呈するので、固定効果を大幅に向上させることができる。
【００２５】
さらに、図４に示すように、スチールワイヤロープ（５０）の径と、本体（１０）の貫通孔（１１）のサイズとは互いに対応しており、該スチールワイヤロープ（５０）と貫通孔（１１）の内周壁との間には、僅かしか間隙が形成されないことから、該スチールワイヤロープ（５０）は、一旦固定されると、緩むことがないので、スチールワイヤロープ（５０）が本体（１０）から離脱することはない。故に、本考案のスチールワイヤロープ用挟持具は、その優れた使用効果を確実に発揮できると共に、使用上の安全性も向上させることができる。
【産業上の利用可能性】
【００２６】
本考案は上記の構成を有するので、従来のスチールワイヤロープ用挟持具のような、長期間使用すると、該鞍形ブロックが疲労などにより、すぐに破損してしまうといった欠点を解決することができると共に、構造強度、使用上の安全性、及び固定効果を大幅に向上させることができるので、非常に実用的である。
【図面の簡単な説明】
【００２７】
【図１】本考案に係るスチールワイヤロープ用挟持具の使用状態を示す斜視図。
【図２】本考案に係るスチールワイヤロープ用挟持具の部分断面斜視図。
【図３】本考案に係るスチールワイヤロープ用挟持具の使用状態を示す側面断面図。
【図４】本考案に係るスチールワイヤロープ用挟持具の使用状態を示す平面断面図。
【図５】従来のスチールワイヤロープ用挟持具の使用状態を示す斜視図。
【図６】従来のスチールワイヤロープ用挟持具の使用状態を示す平面断面図。
【符号の説明】
【００２８】
１０    本体
１１    貫通孔
１２    ねじ穴
１３    粗面
１４    並列溝
２０    押圧ボルト
２１    押圧面
２２    調整端
５０    スチールワイヤロープ
９０    スチールワイヤロープ用挟持具
９１    鞍形ブロック
９１１  孔
９１２  突出部
９２    Ｕ字形部材
９３    ナット
９４    挟持部
【図１】
0003138891.tif 000003
【図２】
0003138891.tif 000004
【図３】
0003138891.tif 000005
【図４】
0003138891.tif 000006
【図５】
0003138891.tif 000007
【図６】
0003138891.tif 000008